(57)【要約】【課題】外観に外壁が出てくることなく破風サッシとサッシを上下に連続して設けることにより意匠性を向上させ、且つ室内側への柱や梁の出っ張りを抑制することができる住宅建物を提供する。【解決手段】  木製の一対の柱２１ａ，２１ｂと該一対の柱２１ａ，２１ｂの上端間に横架された木製の梁２２とが接合されてなる第１の門型ラーメンフレーム２と、梁２２から前方に所定間隔離して設けられる破風サッシと、該破風サッシの下方に連続して設けられるサッシと、前記破風サッシ及び前記サッシが取り付けられるサッシ下地５を支持するために梁２２に接合される支持材６とを備える住宅建物１。【選択図】図２
2014109117.tif 000002
【特許請求の範囲】
【請求項１】
木製の一対の柱と該一対の柱の上端間に横架された木製の梁とが接合されている第１の門型ラーメンフレームと、
前記梁から前方に所定間隔離して設けられる破風サッシと、
該破風サッシの下方に連続して設けられるサッシと、
前記破風サッシ及び前記サッシが取り付けられるサッシ下地を支持するために前記梁に接合される支持材と、を備えることを特徴とする住宅建物。
【請求項２】
前記一対の柱から前記破風サッシ及び前記サッシが取り付けられる位置よりも前方に延びるように一対の袖壁が設けられていることを特徴とする請求項１に記載の住宅建物。
【請求項３】
前記一対の袖壁内にそれぞれ柱が内蔵される第２の門型ラーメンフレームを備えることを特徴とする請求項２に記載の住宅建物。
【請求項４】
前記第２の門型ラーメンフレームの梁は、前面が前記サッシが取り付けられる前記サッシ下地材の前面と略面一になるように設けられ、上面が前記サッシ下地材の下端と当接するように設けられることを特徴とする請求項３に記載の住宅建物。
【請求項５】
前記サッシは２階部分に設けられるものであって、
前記サッシの下方には、前方へと張り出す垂れ壁庇が設けられており、
前記サッシより前記所定間隔後方に１階の開口部が形成されていることを特徴とする請求項１乃至４のいずれかに記載の住宅建物。
【請求項６】
所定距離離れた位置で互いに対向した状態で屋外へと張り出す一対の袖壁が設けられた住宅建物であって、
前記一対の袖壁内にそれぞれ内蔵される木製の一対の柱と該一対の柱の上端間に横架された木製の梁とが接合されている門型ラーメンフレームを備えることを特徴とする住宅建物。
【請求項７】
前記門型ラーメンフレームは、前記梁の上面の両端側にそれぞれ前記一対の柱と同一の直線上に延びる一対の柱と、該一対の柱の上端間に、前記梁と平行になるように横架される上梁とを備える門型２層ラーメンフレームであることを特徴とする請求項６に記載の住宅建物。
【請求項８】
前記上梁と前記梁の間にサッシが設けられることを特徴とする請求項７に記載の住宅建物。
【請求項９】
前記門型ラーメンフレームの所定距離後方に木製の一対の柱と該一対の柱の間に横架された木製の梁とが接合されている門型ラーメンフレームを更に備えることを特徴とする請求項６乃至８のいずれかに記載の住宅建物。
【発明の詳細な説明】
【技術分野】
【０００１】
本発明は、破風サッシが設けられた住宅建物に関する。
【背景技術】
【０００２】
従来、破風サッシを設けた住宅建物では、例えば、図１５に示すように、梁１００の上に破風サッシ１０１が設置されている。そのため、破風サッシ１００の下方にサッシ１０２を設けようとした場合には、このサッシ１０２と破風サッシ１０１との間に梁１００が入ることになる。従って、このような構造の住宅建物の場合には、破風サッシ１０１とサッシ１０２の間には外壁が出てくることになり、外壁を出すことなく、破風サッシ１０１とサッシ１０２を上下に連続して設けることができなかった。
【０００３】
一方、非特許文献１には、梁が外観に出てこないように、屋根を受ける梁が山形に形成されている山形ラーメンフレームにカーテンウォールサッシが取り付けられた木造建物が開示されている。
【先行技術文献】
【非特許文献】
【０００４】
【非特許文献１】http://www.iimado.com/works/2008works/hikarinokuni/
【発明の概要】
【発明が解決しようとする課題】
【０００５】
しかしながら、非特許文献１の山形ラーメンフレームでは、構造上、山形ラーメンフレームを構成する梁や柱の断面を大きくする必要がある。そのため、材積が大きくなり、室内に柱や梁が大きく出っ張ってくるという問題がある。
【０００６】
本発明は、上記のような課題に鑑みてなされたものであって、外観に外壁が出てくることなく破風サッシとサッシを上下に連続して設けることにより意匠性を向上させ、且つ室内側への柱や梁の出っ張りを抑制することができる住宅建物を提供することを目的とする。また、更にサッシと平行方向の耐力を向上させることを目的としている。
【課題を解決するための手段】
【０００７】
上記目的を達成するために、請求項１に記載の住宅建物は、木製の一対の柱と該一対の柱の上端間に横架された木製の梁とが接合されている第１の門型ラーメンフレームと、前記梁から前方に所定間隔離して設けられる破風サッシと、該破風サッシの下方に連続して設けられるサッシと、前記破風サッシ及び前記サッシが取り付けられるサッシ下地を支持するために前記梁に接合される支持材と、を備えることを特徴としている。
【０００８】
請求項２に記載の住宅建物は、前記一対の柱から前記破風サッシ及び前記サッシが取り付けられる位置よりも前方に延びるように一対の袖壁が設けられていることを特徴としている。
【０００９】
請求項３に記載の住宅建物は、前記一対の袖壁内にそれぞれ柱が内蔵される第２の門型ラーメンフレームを備えることを特徴としている。
【００１０】
請求項４に記載の住宅建物では、前記第２の門型ラーメンフレームの梁は、前面が前記サッシが取り付けられる前記サッシ下地材の前面と略面一になるように設けられ、上面が前記サッシ下地材の下端と当接するように設けられることを特徴としている。
【００１１】
請求項５に記載の住宅建物は、前記サッシは２階部分に設けられるものであって、前記サッシの下方には、前方へと張り出す垂れ壁庇が設けられており、前記サッシより前記所定間隔後方に１階の開口部が形成されていることを特徴としている。
【００１２】
請求項６に記載の住宅建物は、所定距離離れた位置で互いに対向した状態で屋外へと張り出す一対の袖壁が設けられた住宅建物であって、前記一対の袖壁内にそれぞれ内蔵される木製の一対の柱と該一対の柱の上端間に横架された木製の梁とが接合されている門型ラーメンフレームを備えることを特徴としている。
【００１３】
請求項７に記載の住宅建物は、前記門型ラーメンフレームが、前記梁の上面の両端側からそれぞれ前記一対の柱と同一の直線上に延びる一対の柱と、該一対の柱の上端間に、前記梁と平行になるように横架される上梁とを備える門型２層ラーメンフレームであることを特徴としている。
【００１４】
請求項８に記載の住宅建物は、前記上梁と前記梁の間にサッシが設けられることを特徴としている。
【００１５】
請求項９に記載の住宅建物は、前記門型ラーメンフレームの所定距離後方に木製の一対の柱と該一対の柱の間に横架された木製の梁とが接合されている門型ラーメンフレームを更に備えることを特徴としている。
【発明の効果】
【００１６】
請求項１に記載の住宅建物によれば、破風サッシ及び該破風サッシの下方に連続して設けられるサッシを梁から前方に所定間隔離して設けているので、梁部分の外壁が外観に出てくることなく、破風サッシとサッシを上下に連続して設けることができるため、意匠性を向上させることができる。また、門型ラーメンフレームでの構造躯体構成としているので、室内側への柱や梁断面の出っ張りを軽減することができる。
【００１７】
請求項２に記載の住宅建物によれば、門型ラーメンフレームの一対の柱から破風サッシ及びサッシが取り付けられる位置よりも前方に延びるように一対の袖壁を設けているので、破風サッシ及びサッシは一対の袖壁の先端より後方に納めることができる。
【００１８】
請求項３に記載の住宅建物によれば、一対の袖壁内にそれぞれ柱が内蔵される第２の門型ラーメンフレームを備えているので、サッシと平行な方向の構造耐力も負担させることができる。
【００１９】
請求項４に記載の住宅建物によれば、第２の門型ラーメンフレームの梁は、前面がサッシが取り付けられるサッシ下地材の前面と略面一になるように設けられ、上面がサッシ下地材の下端と当接するように設けられているので、サッシ下地をより確実に支持することができる。
【００２０】
請求項５に記載の住宅建物によれば、サッシよりも所定間隔後方に位置する第１の門型ラーメンフレームの一対の柱の間に１階の開口部が形成されることになるので、一対の柱の間に持ち出し梁を受けるための柱で分割されることなく、大開口を構成することができる。また、サッシの下方には、前方へと張り出す垂れ壁庇を設けているので、１階の開口部用のシャターボックスを設けることも可能となる。また、第２の門型ラーメンフレームを設けた場合には、サッシの幅方向に平行な方向の構造耐力も負担させることができるので、１階の開口部を広く構成することができる。
【００２１】
請求項６に記載の住宅建物によれば、一対の袖壁内にそれぞれ柱が内蔵される門型ラーメンフレームを備えており、この門型ラーメンフレームによって幅方向の構造耐力も負担させることができるので、一対の袖壁の間に幅広の開口部を形成することができる。
【００２２】
請求項７に記載の住宅建物によれば、門型ラーメンフレームは、前記梁の上面の両端側にそれぞれ前記一対の柱と同一の直線上に延びる一対の柱と、該一対の柱の上端間に、前記梁と平行になるように横架される上梁とを備える門型２層ラーメンフレームであるので、前記上梁と前記梁の間に幅広の開口部を形成することができ、外観の意匠性を高めることができる。
【００２３】
請求項８に記載の住宅建物によれば、前記上梁と前記梁の間にサッシが設けられているので、外観の意匠性をより高めることができる。
【００２４】
請求項９に記載の住宅建物によれば、一対の袖壁内にそれぞれ内蔵される木製の一対の柱と該一対の柱の上端間に横架された木製の梁とが接合されている門型ラーメンフレームの所定距離後方に更に門型ラーメンフレームを設けているので、この門型ラーメンフレームの一対の柱の間に持ち出し梁を受けるための柱で分割されることなく、大開口を構成することができる。また、所定距離後方に設けられる門型ラーメンフレームの後方位置を調整することで、この門型ラーメンフレームより前方のスペースを駐車スペース等として有効に利用することができる。
【図面の簡単な説明】
【００２５】
【図１】本発明の第１の実施形態に係る住宅建物の妻面の外観の一例を示す概略正面図である。
【図２】本発明の第１の実施形態に係る住宅建物の架構の一例を示す概略斜視図である。
【図３】図１におけるA−A線断面図である。
【図４】図１におけるB−B線断面図である。
【図５】本発明の第１の実施形態に係る住宅建物の妻面の要部拡大縦断面図である。
【図６】本発明の第２の実施形態に係る住宅建物の架構の一例を示す概略斜視図である。
【図７】本発明の第３の実施形態に係る住宅建物の妻面の外観の一例を示す概略正面図である。
【図８】本発明の第３の実施形態に係る住宅建物の架構の一例を示す概略斜視図である。
【図９】図８におけるＣ−Ｃ線断面図である。
【図１０】図８におけるＤ−Ｄ線断面図である。
【図１１】本発明の第３の実施形態に係る住宅建物の妻面の要部拡大縦断面図である。
【図１２】本発明の第４の実施形態に係る住宅建物の外観の一例を示す概略正面図である。
【図１３】本発明の第４の実施形態に係る住宅建物の架構の一例を示す概略斜視図である。
【図１４】本発明の第４の実施形態に係る住宅建物の要部拡大縦断面図である。
【図１５】従来の破風サッシの取り付け構造の一例を示す概略縦断面図である。
【発明を実施するための形態】
【００２６】
以下に本発明に係る住宅建物について、各図面を用いて説明する。本発明に係る第１の実施形態に係る住宅建物１は、木造二階建ての住宅建物であって、図１〜５に示すように、木製の一対の柱２１（２１ａ，２１ｂ）と該一対の柱２１ａ、２１ｂの上端間に横架された木製の梁２２が接合されている第１の門型ラーメンフレーム２と、梁２２から前方（屋外側）に所定間隔Ｄ１離して設けられる破風サッシ３と、該破風サッシ３の下方に連続して設けられる２階サッシ（サッシ）４と、破風サッシ３及び２階サッシ４が取り付けられるサッシ下地５を支持するための支持材６とを備えるものである。また、図１及び図２に示すように、住宅建物１の妻面の両端には、一対の袖壁７（７ａ，７ｂ）が設けられており、この一対の袖壁７ａ、７ｂの間の１階部分には開口部８が形成されている。
【００２７】
第１の門型ラーメンフレーム２は、図２に示すように、一対の柱２１ａ’、２１ｂ’と、該一対の柱２１ａ’、２１ｂ’の上端間に横架される梁（下梁）２３と、該下梁２３の上面の両端側から一対の柱２１ａ’、２１ｂ’と同一の直線上に延びるように設けられる一対の柱２１ａ、２１ｂと、該一対の柱２１ａ、２１ｂの上端間に横架される梁（上梁）２２とを備える、所謂木造門型の２層ラーメンフレームである。一対の柱２１ａ，２１ｂ及び一対の柱２１ａ’，２１ｂ’は、それぞれ木製の柱であって、図３及び図４に示すように、所定距離Ｗ１離れた位置に設置されている。この所定距離Ｗ１は、特に限定されるものではないが、一対の柱２１ａ，２１ｂ及び一対の柱２１ａ’，２１ｂ’の間の妻側に幅広の開口を形成するために、４００〜５５０ｍｍの間で適宜設定されることが好ましい。
【００２８】
上梁２２は、妻側の幅方向に水平に設けられる木製の梁であって、両端がそれぞれ柱２１ａ、２１ｂの上端間に接合されている。この上梁２２は、図５に示すように、２階部分に設けられる２階サッシ４よりも高い位置に設けられている。下梁２３は、上梁２２と平行になるよう妻側の幅方向に水平に設けられる木製の梁であって、両端がそれぞれ柱２１ａ’、２１ｂ’の上端間に接合されている。この下梁２３は、図５に示すように、２階部分の床Ｆ２を支持するものであり、上面が床Ｆ２と略同一の高さになるように設けられている。
【００２９】
破風サッシ３は、第１の門型ラーメンフレーム２の梁２２，２３から所定間隔Ｄ１離して設けられるものであって、図２及び図５に示すように、前方へ水平に延びるように梁２２に接合される支持材６によって支持される構造柱であるサッシ下地５と、該サッシ下地５の幅方向に平行に設けられる非構造柱のサッシ下地５ａと、勾配梁１０とに取り付けられる。この破風サッシ３は、切妻屋根１１の勾配に沿った辺を有する略台形状又は略三角形状に区画された窓枠３１と、該窓枠３１内に嵌め込まれる略台形状又は略三角形状に形成された窓ガラス３２とを備える嵌め殺しサッシになっている。本実施形態では、図１に示すように、幅方向中央から対称になるよう４つの破風サッシ３が幅方向に連続して設けられている。尚、破風サッシ３の数は特に限定されるものではなく、一対の柱２１ａ，２１ｂの間の所定距離Ｗ１に応じて適宜設定すれば良い。
【００３０】
２階サッシ４は、図１に示すように、破風サッシ３の下方に連続して設けられるものである。この２階サッシ４は、破風サッシ３と同様に第１の門型ラーメンフレーム２の梁２２，２３から所定間隔Ｄ１離して設けられるものであって、図３に示すように、サッシ下地５及びサッシ下地５ａに取り付けられる。このように、破風サッシ３及びサッシ４を梁２２から前方に所定間隔Ｄ１離して設けることにより、梁２２部分の外壁が外観に出てこないので、破風サッシ３とサッシ４を上下に連続して設けることができ、意匠性を向上させることができる。
【００３１】
また、２階サッシ４は、略長方形状に区画された窓枠４１と、該窓枠４１内に嵌め込まれる略長方形状に形成された窓ガラス４２とを備える嵌め殺しサッシになっており、幅方向は破風サッシ３と略同じ幅に形成されている。サッシ下地５，５ａの屋外側には、縦長の化粧材１２が取り付けられており、破風サッシ３の上方には、切妻屋根１１の勾配に沿って破風用化粧幕板１３が取り付けられている。尚、本実施形態では、図１に示すように、破風サッシ３の数に合わせて４つの２階サッシ４が幅方向に連続して設けられているが、この２階サッシ４の数も特に限定されるものではなく、一対の柱２１ａ，２１ｂの間の所定距離Ｗ１に応じて適宜設定すれば良い。また、本実施形態では２階サッシ４が嵌め殺しサッシの場合を例にしているが、引き違いサッシ等の開閉可能なサッシを設けるようにしても良い。
【００３２】
一対の袖壁７ａ、７ｂは、図３及び図４に示すように、所定距離Ｗ１離れた位置で互いに対向した状態で、破風サッシ３及び２階サッシ４が納まるように柱２１ａ、２１ｂから屋外側へと張り出すように設けられている。この袖壁７ａ、７ｂは、例えば、２５０幅の袖壁であって、面材を取り付けるために袖壁基礎７１の先端側から垂直方向に立設する袖壁下地７２を備えている。また、この袖壁７ａ、７ｂ内には、第１の門型ラーメンフレーム２よりも所定間隔Ｄ１だけ前方に設けられる第２の門型ラーメンフレーム９の木製の一対の柱９１ａ、９１ｂがそれぞれ内蔵されている。
【００３３】
この第２の門型ラーメンフレーム９は、一対の柱９１ａ、９１ｂと、該一対の柱９１ａ、９１ｂの間に横架される梁９２を備えるものである。梁９２は、妻側の幅方向に水平に設けられる木製の梁であって、両端がそれぞれ柱９１ａ、９１ｂの上端間に接合されている。の梁９２は、図５に示すように、第１の門型ラーメンフレーム２の下梁２３と平行且つ略同一の高さに設けられている。また、梁９２は、図２に示すように、前面がサッシ下地材５，５ａの前面と略面一になるように設けられ、上面はサッシ下地材５，５ａの下端に当接している。このように、一対の袖壁７ａ、７ｂ内にそれぞれ柱９１ａ、９１ｂが内蔵される第２の門型ラーメンフレーム９を備えることにより、破風サッシ３及び２階サッシ４と平行な方向の構造耐力も負担させることができる。
【００３４】
また、２階サッシ４の下方には、図１に示すように前方へと張り出すように垂れ壁庇１４が設けられている。この垂れ壁庇１４は、図３及び図４に示すように、先端のラインＬが一対の袖壁７ａ、７ｂ間に納まるように破風サッシ３及び２階サッシ４が設けられる位置よりも所定距離Ｄ２だけ前方へ張り出している。垂れ壁庇１４は、図２及び図５に示すように、梁９２に接合された垂れ壁庇下地１５に取り付けられており、前方へ向かうに従って下方へ傾斜する所定の勾配を有する化粧見切１６、先端側に垂直に取り付けられる外壁パネル１７等を備えている。
【００３５】
また、垂れ壁庇１４の下方の１階部分には、図２に示すように、破風サッシ３及び２階サッシ４が設けられる位置よりも所定間隔Ｄ１だけ後方の位置に第１の門型ラーメンフレーム２の一対の柱２１ａ，２１ｂと下梁２３によって開口部８が形成されている。本実施形態では、図１に示すように、この開口部８に引き違いサッシ８１が設けている。このように、住宅建物１では、破風サッシ３及び２階サッシ４が設けられる位置よりも所定間隔Ｄ１だけ後方に開口部８を設けることにより、図５に示すように、軒下空間Ｓを構成することができる。また、破風サッシ３及び２階サッシ４が設けられる位置よりも所定距離Ｄ２だけ前方へ張り出すよう垂れ壁庇１４を設けることにより、１階部分の開口部８用のシャターボックス等を設けることも可能になる。尚、本実施形態の住宅建物１では、１対の袖壁７ａ、７ｂ間の構造のみを図示しているが、このような構造を一部に備えていれば良く、１対の袖壁の片側又は両側に居住空間が設けられていても良い。また、本実施形態では木造２階建ての住宅建物１を例に説明しているが、２階建てに限定されるものではなく、第１の門型ラーメンフレーム２から前方に所定間隔Ｄ１離して破風サッシ３及び階サッシ４が上下に連続して設けられている構成を備えるものであれば良い。
【００３６】
次に、本発明に係る第２の実施形態における住宅建物１ａについて、図６を用いて説明する。尚、第１の実施形態と同様の構成等については、同一符号を付して、その詳細な説明については省略する。
【００３７】
第２の実施形態における住宅建物１ａは、図６に示すように、第２の門型ラーメンフレーム９の代わりに第１の門型ラーメンフレーム２の下梁２３より所定間隔Ｄ３だけ前方に横架材１８を設けたものである。この横架材１８は、１対の袖壁７ａ、７ｂ間に渡って設けられており、下梁２３に接合されている支持部材１９等によって支持されている。このように第２の門型ラーメンフレーム９の代わりに横架材１８を設けることにより、妻面側の意匠性を変更させることなく、材積を減らしてコストを軽減することができる。
【００３８】
次に、本発明に係る第３の実施形態における住宅建物１ｂについて、図７〜１１を用いて説明する。尚、第１の実施形態と同様の構成等については、同一符号を付して、その詳細な説明については省略する。
【００３９】
本発明に係る第３の実施形態における住宅建物１ｂは、図７に示すように、破風に破風サッシ３の代わりに破風壁２０を設けたものである。この住宅建物１ｂは、図７〜１１に示すように、所定距離Ｗ１離れた位置で互いに対向した状態で屋外へと張り出す一対の袖壁７ａ、７ｂが設けられた住宅建物であって、この一対の袖壁７ａ、７ｂ内にそれぞれ内蔵される木製の一対の柱９１ｃ，９１ｄと、該一対の柱９１ｃ，９１ｄの上端間に横架された木製の梁（下梁）９４と、該下梁９４の上面の両端側にそれぞれ前記一対の柱９１ｃ，９１ｄと同一の直線上に延びる一対の柱９１ｃ’，９１ｄ’と、該一対の柱９１ｃ’，９１ｄ’の上端間に、下梁９４と平行になるように横架される上梁９３とを備える門型ラーメンフレーム９ａと、該門型ラーメンフレーム９ａの所定距離Ｄ３後方に設けられる門型ラーメンフレーム２ａとを備えるものである。
【００４０】
門型ラーメンフレーム９ａは、図８に示すように、所謂木造門型の２層ラーメンフレームであって、一対の柱９１ｃ，９１ｄ及び一対の柱９１ｃ’，９１ｄ’は、それぞれ木製の柱であり、図９及び図１０に示すように、所定距離Ｗ１離れた位置に設置されている。この所定距離Ｗ１は、特に限定されるものではないが、一対の柱９１ｃ，９１ｄ及び一対の柱９１ｃ’，９１ｄの間の妻側に幅広の開口を形成するために、４００〜５５０ｍｍの間で適宜設定されることが好ましい。また、上梁９３は、妻側の幅方向に水平に設けられる木製の梁であって、両端がそれぞれ柱９１ｃ’、９１ｄ’の上端間に接合されている。この上梁９３は、図１１に示すように、２階部分に設けられる２階サッシ４よりも高い位置に設けられている。下梁９４は、上梁９３と平行になるよう妻側の幅方向に水平に設けられる木製の梁であって、両端がそれぞれ柱９１ｃ、９１ｃの上端間に接合されている。この下梁９４は、図１１に示すように、２階部分の床Ｆ２を支持するものであり、上面が床Ｆ２と略同一の高さになるように設けられている。
【００４１】
門型ラーメンフレーム９ａの下梁９４の上方には、２階サッシ４が設けられており、この２階サッシ４の上方に連続して破風壁２０が設けられている。また、下梁９４の前面には、下梁９４の前方には、垂れ壁庇下地１５が接合されており、この垂れ壁庇下地１５に垂れ壁庇１４が２階サッシ４より所定距離Ｄ４だけ前方へ張り出すように取り付けられている。また、門型ラーメンフレーム９ａの一対の柱９１ｃ，９１ｄ及び一対の柱９１ｃ’，９１ｄは、それぞれ袖壁７ａ、７ｂ内に内蔵されている。これにより、２階サッシ４の幅方向に平行な方向の構造耐力も負担させることができる。
【００４２】
門型ラーメンフレーム２ａは、門型ラーメンフレーム９ａよりも所定間隔Ｄ３だけ後方に設けられている。この門型ラーメンフレーム２ａは、図８に示すように、一対の柱２１ｃ、２１ｄの間に平行に横架された梁２４が接合されてなるものである。梁２４は、妻側の幅方向に水平に設けられる木製の梁であって、両端がそれぞれ柱２１ｃ、２１ｄの上端に接合されている。この梁２４は、図１１に示すように、門型ラーメンフレーム９ａの下梁９４と平行且つ略同一の高さに設けられており、２階部分の床面Ｆ２を支持している。このように第３の実施形態に掛かる住宅建物１ｂでは、門型ラーメンフレーム９ａの所定間隔Ｄ３後方に門型ラーメンフレーム２ａを設けているので、この門型ラーメンフレーム２ａが設ける位置（所定間隔Ｄ３）を調整することにより門型ラーメンフレーム２ａの前方に半屋外空間を自由に設計することができる。尚、本実施形態では、門型ラーメンフレーム９ａの一対の柱９１ｃ、９１ｄと門型ラーメンフレーム２ａの一対の柱２１ｃ、２１ｄの間には、柱等は設けられていないが、袖壁７ａ、７ｂの前方へ張り出す長さに応じて、一対の柱９１ｃ、９１ｄと一対の柱２１ｃ、２１ｄの間に袖壁７ａ、７ｂ内に内蔵される一対の柱を有する門型ラーメンフレームを更に設けるように構成しても良い。
【００４３】
次に、本発明に係る第４の実施形態における住宅建物１ｃについて、図１２〜１４を用いて説明する。尚、第１〜３の実施形態と同様の構成等については、同一符号を付して、その詳細な説明については省略する。
【００４４】
本発明に係る第４の実施形態における住宅建物１ｃは、図１２に示すように、第３の実施形態の住宅建物１ｂの切妻屋根１１の代わりに寄棟屋根１１ａを設けたものである。そのため、この住宅建物１ｃでは、破風壁２０がなく、門型ラーメンフレーム９ａの下梁９４の上方に２階サッシ４が設けられた構成になっている。このように、一対の袖壁７ａ、７ｂ内にそれぞれ内蔵された一対の柱９１ｃ、９１を有する門型ラーメンフレーム９ａを備える構成は屋根の形状に限定されることなく、適用することができる。
【００４５】
尚、本発明の実施の形態は上述の形態に限ることなく、本発明の思想の範囲を逸脱しない範囲で適宜変更することができる。
【符号の説明】
【００４６】
１〜１ｃ          住宅建物
２                第１の門型ラーメンフレーム
２ａ              門型ラーメンフレーム
２１ａ〜２１ｄ    柱
２２              梁（上梁）
２３              梁（下梁）
３                破風サッシ
４                ２階サッシ（サッシ）
５                サッシ下地
６                支持材
７ａ、７ｂ        袖壁
８                開口部
９                第２の門型ラーメンフレーム
９ａ              門型ラーメンフレーム
９１ａ〜９１ｄ    柱
９２              梁
９３              梁（上梁）
９４              梁（下梁）
【図１】
2014109117.tif 000003
【図２】
2014109117.tif 000004
【図３】
2014109117.tif 000005
【図４】
2014109117.tif 000006
【図５】
2014109117.tif 000007
【図６】
2014109117.tif 000008
【図７】
2014109117.tif 000009
【図８】
2014109117.tif 000010
【図９】
2014109117.tif 000011
【図１０】
2014109117.tif 000012
【図１１】
2014109117.tif 000013
【図１２】
2014109117.tif 000014
【図１３】
2014109117.tif 000015
【図１４】
2014109117.tif 000016
【図１５】
2014109117.tif 000017